(57)【要約】【課題】電子機器の電力消費をより抑制すると共に、使用頻度の高いものをより早期に使用可能とする。【解決手段】プリンタ２０は、、印刷処理実行モードと省電力モードとのうちいずれかの動作モードを択一的に実行し、外部電源からの電力供給が停止された時点での動作モードをフラッシュＲＯＭ２３に記憶し、電力供給が開始されたときには記憶されている動作モードを読み出し、この読み出した動作モードで起動する。ここでは、電力供給が開始された際には、プリンタ２０の使用頻度を反映している停止時の動作モードで起動する。このプリンタ２０では、電力供給の停止時に、電力維持部２９ａにより電力を確保することにより、電力供給停止時の動作モードをより確実にフラッシュＲＯＭ２３へ記憶する。なお、動作モードの切替時に動作モードを記憶してもよい。【選択図】図１
2010131929.tif 000002
【特許請求の範囲】
【請求項１】
第１モードと該第１モードよりも消費電力の低い省電力モードとを含む複数の動作モードのうちいずれかを択一的に実行する電子機器であって、
データを記憶する記憶手段と、
外部電源から電力が供給される電力手段と、
前記外部電源からの電力供給が停止された時点での前記動作モードを前記記憶手段に記憶させ、前記電力手段から電力供給が開始されたときには前記記憶手段に記憶された動作モードを読み出し該読み出した動作モードで起動する制御手段と、
を備えた電子機器。
【請求項２】
前記制御手段は、前記電子機器の動作モードが他のモードから前記省電力モードへ切り替わった際及び前記省電力モードから他のモードへ切り替わった際に切り替わったあとの動作モードを前記記憶手段へ記憶させることにより前記電力供給が停止された時点での前記動作モードを前記記憶手段に記憶させる、請求項１に記載の電子機器。
【請求項３】
前記制御手段は、前記電力手段から電力供給が開始されたときに、前回停止時からの経過時間が所定時間を経過したか否かを判定し、該経過時間が所定時間を経過したときには前記省電力モードで起動し、該経過時間が所定時間を経過していないときには前記記憶手段に記憶された動作モードを読み出し該読み出した動作モードで起動する、請求項１又は２に記載の電子機器。
【請求項４】
前記電力手段は、前記外部電源からの電力供給が遮断された際に電力を維持する電力維持部を有しており、
前記制御手段は、前記外部電源からの電力供給が遮断されたときに前記電力維持部からの電力供給を受けて前記動作モードを前記記憶手段に記憶させる、請求項１に記載の電子機器。
【請求項５】
請求項１〜４のいずれか１項に記載の電子機器であって、
前記電力手段から電力の供給を受け画像を印刷媒体へ印刷処理する印刷処理手段、を備え、
前記制御手段は、前記印刷処理を実行するように前記印刷処理手段を制御する、電子機器。
【請求項６】
データを記憶する記憶手段を備え、第１モードと該第１モードよりも消費電力の低い省電力モードとを含む複数の動作モードのうちいずれかを択一的に実行する電子機器の制御方法であって、
（ａ）外部電源からの電力供給が停止された時点での前記動作モードを前記記憶手段に記憶させるステップと、
（ｂ）外部電源からの電力供給が開始されたときには前記記憶手段に記憶された動作モードを読み出し該読み出した動作モードで起動するステップと、
を含む電子機器の制御方法。
【発明の詳細な説明】
【技術分野】
【０００１】
本発明は、電子機器及びその制御方法に関する。
【背景技術】
【０００２】
従来、電子機器としては、電源投入からの時間を計時し、計時した時間が、予め設定されている電力供給時間に達すると定着器のヒータへ電力供給を開始することにより、電源投入時の消費電流を分散させるものが提案されている（例えば、特許文献１参照）。
【特許文献１】特開２０００−１９８８７号公報
【発明の開示】
【発明が解決しようとする課題】
【０００３】
しかしながら、この特許文献１に記載された電子機器では、起動したあとしばらく使用しない場合であっても電力供給時間に達するとヒータへ電力供給を開始してしまうことがあり、消費電力をより低減する点については考慮されていなかった。また、電力供給時間を予め設定しておくことがあるが、その機器の使用頻度については考慮されていなかった。
【０００４】
本発明は、このような課題に鑑みなされたものであり、電力消費をより抑制すると共に、使用頻度の高いものをより早期に使用可能とすることができる電子機器及びその制御方法を提供することを主目的とする。
【課題を解決するための手段】
【０００５】
本発明は、上述の目的を達成するために以下の手段を採った。
【０００６】
本発明の電子機器は、
第１モードと該第１モードよりも消費電力の低い省電力モードとを含む複数の動作モードのうちいずれかを択一的に実行する電子機器であって、
データを記憶する記憶手段と、
外部電源から電力が供給される電力手段と、
前記外部電源からの電力供給が停止された時点での前記動作モードを前記記憶手段に記憶させ、前記電力手段から電力供給が開始されたときには前記記憶手段に記憶された動作モードを読み出し該読み出した動作モードで起動する制御手段と、
を備えたものである。
【０００７】
この電子機器では、第１モードと該第１モードよりも消費電力の低い省電力モードとを含む複数の動作モードのうちいずれかを択一的に実行し、外部電源からの電力供給が停止された時点での動作モードを記憶し、電力供給が開始されたときには記憶されている動作モードを読み出し、この読み出した動作モードで起動する。ここで、電力供給が停止した際の動作モードが省電力モードであるときにはその電子機器の使用頻度が低い傾向にあり、電力供給が停止した際の動作モードが省電力モードよりも高い消費電力のモードであるときにはその電子機器の使用頻度が高い傾向にあると考えられる。ここでは、電力供給が開始された際には、その電子機器の使用頻度を反映している電子機器の停止時の動作モードで起動するのである。したがって、電力消費をより抑制すると共に、使用頻度の高いものをより早期に使用可能とすることができる。
【０００８】
本発明の電子機器において、前記制御手段は、前記電子機器の動作モードが他のモードから前記省電力モードへ切り替わった際及び前記省電力モードから他のモードへ切り替わった際に切り替わったあとの動作モードを前記記憶手段へ記憶させることにより前記電力供給が停止された時点での前記動作モードを前記記憶手段に記憶させるものとしてもよい。こうすれば、例えば電力供給が突然遮断された場合であっても、動作モードの切り替わり時に予め動作モードを記憶するため、より確実に、電力消費をより抑制すると共に、使用頻度の高いものをより早期に使用可能とすることができる。ここで、「第１モード」は、所定の処理を実行するときの所定処理実行モードとしてもよい。
【０００９】
本発明の電子機器において、前記制御手段は、前記電力手段から電力供給が開始されたときに、前回停止時からの経過時間が所定時間を経過したか否かを判定し、該経過時間が所定時間を経過したときには前記省電力モードで起動し、該経過時間が所定時間を経過していないときには前記記憶手段に記憶された動作モードを読み出し該読み出した動作モードで起動するものとしてもよい。こうすれば、経過時間が所定時間を経過していないとき（例えば停電時など比較的経過時間が短いとき）には、電力供給停止時の状態で起動することにより使用頻度の高いものをより早期に使用可能とすることができるし、経過時間が所定時間を経過したとき（例えば比較的経過時間が長いとき）には、省電力モードで起動することにより電力消費をより抑制することができる。ここで、「所定時間」は、電子機器の利用態様に応じて定めることができ、例えば、瞬間的な停電を検出する時間（例えば１０分など）としてもよいし、毎日の始業時の起動を検出する時間（例えば１０時間など）としてもよい。
【００１０】
本発明の電子機器において、前記電力手段は、前記外部電源からの電力供給が遮断された際に電力を維持する電力維持部を有しており、前記制御手段は、前記外部電源からの電力供給が遮断されたときに前記電力維持部からの電力供給を受けて前記動作モードを前記記憶手段に記憶させるものとしてもよい。こうすれば、電力維持部により電力を確保することにより、電力供給停止時の動作モードをより確実に記憶可能であり、より確実に、電力消費をより抑制すると共に、使用頻度の高いものをより早期に使用可能とすることができる。
【００１１】
本発明の電子機器は、前記電力手段から電力の供給を受け画像を印刷媒体へ印刷処理する印刷処理手段、を備え、前記制御手段は、前記印刷処理を実行するように前記印刷処理手段を制御するものとしてもよい。印刷処理する電子機器は、消費電力を抑制する要請が高いと共に、起動後すぐに使用する頻度が各々により異なることが多く、本発明を適用する意義が高い。
【００１２】
本発明の電子機器の制御方法は、
データを記憶する記憶手段を備え、第１モードと該第１モードよりも消費電力の低い省電力モードとを含む複数の動作モードのうちいずれかを択一的に実行する電子機器の制御方法であって、
（ａ）外部電源からの電力供給が停止された時点での前記動作モードを前記記憶手段に記憶させるステップと、
（ｂ）外部電源からの電力供給が開始されたときには前記記憶手段に記憶された動作モードを読み出し該読み出した動作モードで起動するステップと、
を含むものである。
【００１３】
この電子機器の制御方法では、電子機器と同様に、電力供給が開始された際には、その電子機器の使用頻度を反映している電子機器の停止時の動作モードで起動するため、電力消費をより抑制すると共に、使用頻度の高いものをより早期に使用可能とすることができる。なお、この電子機器の制御において、上述した電子機器の種々の態様を採用してもよいし、また、上述した電子機器の各機能を実現するようなステップを追加してもよい。
【００１４】
本発明のプログラムは、上述した電子機器の制御方法の各ステップを１又は複数のコンピュータに実現させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述した電子機器の制御方法の各ステップが実行されるため、この制御方法と同様の作用効果が得られる。
【発明を実施するための最良の形態】
【００１５】
次に、本発明を実施するための最良の形態を図面を用いて説明する。図１は、本発明の一実施形態であるネットワークシステム１０の構成の概略を示す構成図である。本実施形態のネットワークシステム１０は、ネットワークとしてのＬＡＮ１２に接続されたプリンタ２０，３０，４０と、ＬＡＮ１２を介して接続された複数のユーザパソコン（以下ユーザＰＣとする）１８とによって構成されている。また、プリンタ２０，３０，４０や複数のユーザＰＣ１８は、配電盤１４及びブレーカ１５を介して電力供給を受けて動作する。なお、このネットワークシステム１０では、プリンタ及びユーザＰＣをそれぞれ３台示したが、プリンタ及びユーザＰＣは、それぞれ任意の数を備えているものとしてもかまわない。
【００１６】
ユーザＰＣ１８は、ユーザが使用する情報処理装置として構成された周知の汎用パソコンであり、インストールされたプログラムによりプリンタ２０やプリンタ３０などに対して印刷ジョブを送信したりプリンタ２０やプリンタ３０などからステータス情報を受信したりする。このユーザＰＣ１８は、各種情報を画面表示するディスプレイや、ユーザが各種指令を入力するキーボード等の入力装置などを備え、ディスプレイに表示されたカーソル等を操作者が入力装置を介して入力操作するとその入力操作に応じた動作を実行する機能を有している。
【００１７】
プリンタ２０は、ＬＡＮ１２を介して得られた印刷ジョブに基づいて画像を記録紙Ｓに印刷する装置であり、装置全体の制御を司るＣＰＵ２２と、各種処理プログラムを記憶しデータを書き換え可能なフラッシュＲＯＭ２３と、一時的にデータを記憶するＲＡＭ２４と、ＬＡＮ１２に接続された外部機器との間で信号の送受信が可能なネットワークインタフェース（Ｉ／Ｆ）２５とを備えている。このＣＰＵ２２、フラッシュＲＯＭ２３及びＲＡＭ２４によりコントローラを構成している。このプリンタ２０は、印刷処理をすぐに実行可能である印刷処理実行モードと、この印刷処理実行モードよりも消費電力の低い省電力モードとを含む動作モードのうちいずれかを択一的に実行するようコントローラが構成されている。フラッシュＲＯＭ２３には、前回の終了時の動作モードや時刻が格納された終了時情報が記憶されている。また、プリンタ２０は、着色剤であるインクを吐出して画像を記録紙Ｓへ印刷処理する印刷機構２６と、現在時刻を計時するリアルタイムクロック（ＲＴＣ）２７と、操作者へ情報を表示可能であり操作者の指示を入力可能である操作パネル２８と、配電盤１４を介して外部の商用交流電源（外部電源）から入力した電力を装置全体へ供給する電源ユニット２９と、を備えている。印刷機構２６は、プリントヘッド内に設けられた圧電素子又はヒータによりインクカートリッジ内のインクを加圧して記録紙Ｓに向かって吐出するインクジェット方式の機構である。操作パネル２８には、電源をＯＮ・ＯＦＦする際に押下される電源キー２８ａが配設されている。この電源キー２８ａは、コントローラ及び電源ユニット２９に電気的に接続されており、操作者に押下されると信号をコントローラや電源ユニット２９へ出力するものとして構成されている。電源ユニット２９は、入力した交流を直流に変換する機能と、商用交流電源から入力した電力をカットする機能と、停電時など電力供給異常時に所定の短時間（数秒）だけ電力維持部２９ａにより電圧を維持する機能とを有している。この電力維持部２９ａは、二次電池としてもよいし、コンデンサとしてもよい。また、電源ユニット２９には、図示しない電源監視部が接続されており、入力した電圧が所定の閾値を下回ると、この電源監視部が電力の供給異常である旨の信号をコントローラへ出力するよう構成されている。
【００１８】
プリンタ３０は、ＬＡＮ１２を介して得られた印刷ジョブに基づいて画像を記録紙Ｓに印刷する装置であり、装置全体の制御を司るＣＰＵ３２と、各種処理プログラムを記憶しデータを書き換え可能なフラッシュＲＯＭ３３と、一時的にデータを記憶するＲＡＭ３４と、ＬＡＮ１２に接続された外部機器との間で信号の送受信が可能なＩ／Ｆ３５とを備えている。このＣＰＵ３２、フラッシュＲＯＭ３３及びＲＡＭ３４によりコントローラを構成している。このプリンタ３０は、印刷処理をすぐに実行可能である印刷処理実行モードと、この印刷処理実行モードよりも消費電力の低い省電力モードとを含む動作モードのうちいずれかを択一的に実行するようコントローラが構成されている。フラッシュＲＯＭ３３には、前回の終了時の動作モードや時刻が格納された終了時情報が記憶されている。また、プリンタ３０は、着色剤であるトナーを用いて画像を記録紙Ｓへ印刷処理する印刷機構３６と、現在時刻を計時するリアルタイムクロック（ＲＴＣ）３７と、操作者へ情報を表示可能であり操作者の指示を入力可能である操作パネル３８と、配電盤１４を介して外部の商用交流電源（外部電源）から入力した電力を装置全体へ供給する電源ユニット３９と、を備えている。印刷機構３６は、単一感光体方式と中間転写方式とを採用したフルカラーの電子写真方式の印刷機構として構成されている。この方式は、感光体上に形成された静電潜像を現像剤であるトナーを付着させて現像し、これを記録媒体（記録紙Ｓ）に転写させ、記録媒体上に転写されたトナーを加熱・加圧することでトナーを溶融・定着させて印刷を行うものである。操作パネル３８には、電源をＯＮ・ＯＦＦする際に押下される電源キー３８ａが配設されている。この電源キー３８ａは、コントローラ及び電源ユニット３９に電気的に接続されており、操作者に押下されると信号をコントローラや電源ユニット３９へ出力するものとして構成されている。電源ユニット３９は、電源監視部や電力維持部を省略し、入力した交流を直流に変換する機能と、商用交流電源から入力した電力をカットする機能とを有している。なお、プリンタ４０もプリンタ３０と同様の構成であるためその説明を省略する。
【００１９】
次に、こうして構成された本実施形態のネットワークシステム１０の動作について、プリンタ２０の電源オンされてから電源オフされるまでの処理について説明する。図２は、プリンタ２０のＣＰＵ２２により実行される印刷処理ルーチンの一例を表すフローチャートである。このルーチンは、フラッシュＲＯＭ２３に記憶され、操作パネル２８の電源キー２８ａが押下されて電源がオンされたあと実行される。
【００２０】
このルーチンが実行されると、ＣＰＵ２２は、まず前回の終了時情報をフラッシュＲＯＭ２３から読み出す（ステップＳ１００）。この終了時情報には、前回プリンタ２０の終了時の時刻及びそのときの動作モード（印刷処理実行モードか省電力モード）の情報が含まれている。ここでは、プリンタ２０の終了時には、電源キー２８ａが押下された通常の終了時と、停電やコンセント抜け、ブレーカ１５の切断など電力供給異常での終了時とを含むものとした。次に、ＣＰＵ２２は、前回の終了時に省電力モードであったか否かを判定し（ステップＳ１１０）、前回の終了時に省電力モードでないときには印刷処理実行モードで起動する処理を実行し（ステップＳ１２０）、前回の終了時に省電力モードであるときには今回も省電力モードで起動する処理を実行する（ステップＳ１３０）。ここでは、印刷処理実行モードの起動は、すぐに印刷処理を実行可能な状態、例えば図示しない印刷ヘッドのクリーニング処理やフラッシング処理を実行する初期化処理を実行したり、印刷ジョブの待ち受けに備えＩ／Ｆ２５を通常状態で起動したりする。一方、省電力モードでの起動では、上記初期化処理を実行しなかったり、Ｉ／Ｆ２５の動作を落とした状態で起動したりするものとした。このように、電力供給の開始時に、プリンタ２０の使用頻度を反映している前回の終了時の動作モードで起動するのである。
【００２１】
ステップＳ１２０，Ｓ１３０のあと、ＣＰＵ２２は、モード変更・印刷処理を実行する（ステップＳ１４０）。このモード変更・印刷処理では、例えば所定の省電力切替条件を満たすと、印刷処理実行モードから省電力モードへ切り替えたり、所定の通常切替条件を満たすと省電力モードから印刷処理実行モードへ切り替えたりする処理を行う。この省電力切替条件には、例えば印刷ジョブを受信せずに所定時間（５分など）経過した条件などが含まれ、通常切替条件には、例えば印刷ジョブを受信したり操作パネル２８が操作されたりする条件が含まれる。また、モード変更・印刷処理では、印刷ジョブを受信したときには、この印刷ジョブに格納されている画像データを用いて記録紙Ｓに着色剤で画像を印刷する処理を行うものとした。
【００２２】
ステップＳ１４０のあと、ＣＰＵ２２は、電力供給が停止されたか否かを判定し（ステップＳ１５０）、電力供給が停止されていないときには、ステップＳ１４０の処理を繰り返し実行する。ここで、電力供給の停止の判定は、電源ユニット２９からの電力供給異常の信号の受信を受信したか否かに基づいて判定したり、操作パネル２８の電源キー２８ａが押下されたか否かに基づいて判定するものとした。ステップＳ１５０で、電力供給が停止されたときには、プリンタの情報（インク消費量など）をフラッシュＲＯＭ２３へ記憶させるなどの電力供給停止時処理を実行し（ステップＳ１６０）、この時点の動作モード及び時刻を格納した終了時情報をフラッシュＲＯＭ２３へ記憶させ（ステップＳ１７０）、このルーチンを終了する。なお、プリンタ２０では、電力供給異常時であっても、電力維持部２９ａにより終了時情報の記憶処理が完了するよう、電力が一定時間確保されている。このように、例えばブレーカ１５で始業時の電源オンや終業時の電源オフを行う場合にも、前回の状態でプリンタ２０が起動するため、利用頻度が低いものは省電力モードで起動し、使用頻度が高いものは印刷処理実行モードで起動するのである。
【００２３】
ここで、本実施形態の構成要素と本発明の構成要素との対応関係を明らかにする。本実施形態のフラッシュＲＯＭ２３が本発明の記憶手段に相当し、電源ユニット２９が電力手段に相当し、ＣＰＵ２２が制御手段に相当し、電力維持部２９ａが電力維持部に相当し、印刷機構２６が印刷処理手段に相当し、記録紙Ｓが印刷媒体に相当する。なお、本実施形態では、プリンタ２０の動作を説明することにより本発明の電子機器の制御方法の一例も明らかにしている。
【００２４】
以上詳述した本実施形態のプリンタ２０によれば、印刷処理実行モードと省電力モードとのうちいずれかの動作モードを択一的に実行し、外部電源からの電力供給が停止された時点での動作モードをフラッシュＲＯＭ２３に記憶し、電力供給が開始されたときには記憶されている動作モードを読み出し、この読み出した動作モードで起動する。ここでは、電力供給が開始された際には、プリンタ２０の使用頻度を反映している停止時の動作モードで起動するため、電力消費をより抑制すると共に、使用頻度の高いものをより早期に使用可能とすることができる。また、電力維持部２９ａにより電力を確保することにより、電力供給停止時の動作モードをより確実にフラッシュＲＯＭ２３へ記憶することができる。更に、プリンタは、消費電力を抑制する要請が高いと共に、起動後すぐに使用する頻度が各々により異なることが多いため、本発明を適用する意義が高い。
【００２５】
なお、本発明は上述した実施形態に何ら限定されることはなく、本発明の技術的範囲に属する限り種々の態様で実施し得ることはいうまでもない。
【００２６】
例えば、上述した実施形態では、前回の終了時の動作モードで今回起動するものとしたが、図３に示すように、前回の終了時刻から所定時間経過したか否かにより起動する動作モードを選択するものとしてもよい。図３は、別の印刷処理ルーチンの一例を表すフローチャートである。以下の説明において、図２の印刷処理ルーチンと同様の処理には同じステップ番号を付しその説明を省略する。このルーチンを開始すると、ＣＰＵ２２は、ステップＳ１００で終了時情報を読み出したあと、ＲＴＣ２７の現在時刻と終了時情報に格納された前回の終了時刻との時間差を計算し、前回の終了時刻から所定時間経過したか否かを判定する（ステップＳ２００）。この所定時間は、例えば、プリンタ２０の利用態様に応じて定めることができ、例えば、瞬間的な停電を検出する時間（例えば１０分など）としてもよいし、毎日の始業時の起動を検出する時間（例えば１０時間など）としてもよい。前回の終了時刻から所定時間経過したときには、比較的時間が経過しており、例えば、次の日などに新たに電源ＯＮされたものと判定し、ステップＳ１３０で省電力モードで起動する処理を実行する。一方、前回の終了時刻から所定時間経過していないときには、ＣＰＵ２２は、瞬間的な停電など、何らかのトラブルにより比較的短時間の間に再起動したものと判定し、ステップＳ１１０で終了時に省電力モードであったか否かを判定する。そうして上述したステップＳ１１０以降の処理を実行する。比較的短時間での再起動時には、終了時の動作モードはプリンタ２０の使用頻度をより確実に示すから、使用頻度の高いものをより早期に使用可能とすることができる。また、比較的時間をおいて起動されたときには省電力モードで起動するため、電力消費をより抑制することができる。
【００２７】
上述した実施形態では、電力維持部２９ａを備え、電力供給が停止されたあとに終了時情報を記憶するものとしたが、図４に示すように、ステップＳ１４０のモード変更・印刷処理でモードが変更されたときにその変更後のモードを記憶させることにより終了時の動作モードを記憶するものとしてもよい。さらに、このとき、電力維持部２９ａを省略するものとしてもよい。図４は、別の印刷処理ルーチンの一例を表すフローチャートである。ここでは、このルーチンはフラッシュＲＯＭ３３に記憶され、プリンタ３０のＣＰＵ３２により実行されるものとして説明する。このルーチンを開始すると、ＣＰＵ３２は、上述したステップＳ１００〜Ｓ１４０の処理を実行する。即ち、前回の終了時点での動作モードで起動したあと、動作モードを切替ながら印刷処理を実行したり待機したりする。ステップＳ１４０でモード変更・印刷処理を実行すると、ＣＰＵ３２は、省電力切替条件や通常切替条件を満たして動作モードが変更されたか否かを判定し（ステップＳ３００）、動作モードが変更されたときには、変更後の動作モードを終了時情報に格納してフラッシュＲＯＭ３３に記憶させる（ステップＳ３１０）。ステップＳ３１０のあと、または、ステップＳ３００で動作モードの変更がないときには、上述したステップＳ１５０で電力供給が停止されたか否かを判定し、電力供給が停止されていないときにはステップＳ１４０以降の処理を実行し、電力供給が停止されたときには、そのままこのルーチンを終了する。このように、動作モードが切り替わったあとの動作モードが、プリンタ３０の終了時点での動作モードに該当する。こうすれば、動作モードの切り替わり時に予め動作モードを記憶するため、より確実に、電力消費をより抑制すると共に、使用頻度の高いものをより早期に使用可能とすることができる。また、電力維持部２９ａを省略可能であるため、より構成を簡略化することができる。なお、このルーチンを電力維持部２９ａを備えたプリンタ２０で実行するものとしてもよい。このとき、ステップＳ１５０の電力供給停止の判定後に、ステップＳ１６０の電力供給停止処理を実行するものとしてもよい。
【００２８】
上述した実施形態では、終了時情報をフラッシュＲＯＭ２３やフラッシュＲＯＭ３３に記憶するものとしたが、データを保存可能なものであれば特に限定されず、例えば、ＨＤＤや書き換え可能な光ディスク（ＤＶＤなど）、バックアップＲＡＭ、ＥＥＰ−ＲＯＭなどとしてもよい。
【００２９】
上述した実施形態では、電源キー２８ａが押下された通常の終了時と、停電やコンセント抜け、ブレーカ１５の切断など電力供給異常での終了時とを区別しないで起動する動作モードを設定するものとしたが、通常の終了時と、電源供給異常での終了時とを判定し、その判定結果を用いて、更に起動する動作モードを設定するものとしてもよい。
【００３０】
上述した実施形態では、プリンタ２０やプリンタ３０を本発明の電子機器として説明したが、画像を読み取るスキャナ部を備えたマルチファンクションプリンタや、スキャナ部を備え電話回線に接続したＦＡＸ装置としてもよい。また、印刷機構２６や印刷機構３６は、インクジェット方式や電子写真方式の機構であるとしたが、その他に熱転写方式、ドットインパクト方式のカラープリンタとしてもよいし、これらのモノクロプリンタとしてもよい。また、電子機器としての印刷装置としたが、特にこれに限られず、例えば、固定式のデスクトップ型や携帯式のノート型などのコンピュータ類、テレビやビデオ、ＨＤＤレコーダ、ＤＶＤプレーヤ、フォトビューアなどの映像機器類、デジタルカメラ、デジタルビデオ、スキャナーなどの画像処理機器類、携帯電話などの通信機器類、固定式または携帯式のゲーム機器類などに本発明を適用してもよい。更にまた、電子機器の態様で説明したが、電子機器の制御方法の態様としてもよいし、この方法のプログラムの態様としてもよい。
【図面の簡単な説明】
【００３１】
【図１】ネットワークシステム１０の構成の概略を示す構成図。
【図２】印刷処理ルーチンの一例を表すフローチャート。
【図３】別の印刷処理ルーチンの一例を表すフローチャート。
【図４】別の印刷処理ルーチンの一例を表すフローチャート。
【符号の説明】
【００３２】
１０  ネットワークシステム、１２  ＬＡＮ、１４  配電盤、１５  ブレーカ、１８  ユーザパソコン（ＰＣ）、２０，３０，４０  プリンタ、２２，３２  ＣＰＵ、２３，３３  フラッシュＲＯＭ、２４，３４  ＲＡＭ、２５，３５  ネットワークインタフェース（Ｉ／Ｆ）、２６，３６  印刷機構、２７，３７  ＲＴＣ、２８，３８  操作パネル、２８ａ，３８ａ  電源キー、２９，３９  電源ユニット、２９ａ  電力維持部、Ｓ  記録紙。
【図１】
2010131929.tif 000003
【図２】
2010131929.tif 000004
【図３】
2010131929.tif 000005
【図４】
2010131929.tif 000006